(57)【要約】      （修正有）【課題】息苦しさ感を改善しつつ鼻水を吸収でき、安価に製作可能で斬新なデザインのマスクを提供する。【解決手段】鼻Ｎと口Ｍを覆うドーム状のマスク本体１１と、マスク本体１１を顔に固定するマスク固定具とを有するマスク１０であって、マスク本体１１の高さ方向の途中部を内側へ窪ませて、鼻Ｎと口Ｍ間の鼻下部分ＮＵへ向けて突出する支持突部１４を一体的に形成し、支持突部１４に鼻下部分ＮＵに当接して鼻水を吸収する吸収体１３を鼻孔ＮＨから離して設けた。【選択図】図６
2012034846.tif 000002
【特許請求の範囲】
【請求項１】
鼻と口を覆うドーム状のマスク本体と、マスク本体を顔に固定するマスク固定具とを有するマスクであって、
前記マスク本体の高さ方向の途中部を内側へ窪ませて、鼻と口間の鼻下部分へ向けて突出する支持突部を一体的に形成し、
前記支持突部に鼻下部分に当接して鼻水を吸収する吸収体を鼻孔から離して設けた、
ことを特徴とするマスク。
【請求項２】
前記マスク固定具として、途中部をマスク本体に対して回動自在に取付けた連結部材と、連結部材の両端部に取付けた耳掛けとを有するものを用いた請求項１記載のマスク。
【発明の詳細な説明】
【技術分野】
【０００１】
本発明は、鼻水の吸収機能を有するマスクに関する。
【背景技術】
【０００２】
風邪をひいたときや花粉症を発症したときに使用するマスクとして、織布や不織布からなるマスク本体と、マスク本体を顔に固定するためのゴム紐とを備えたものが広く採用されている。
【０００３】
また、前記マスクとして、鼻孔から流れ出る多量の鼻水を吸収する吸収体を設け、マスクが鼻水で濡れることによる不快感を抑制できるように構成したものも提案されている。例えば、特許文献１には、鼻及び口を覆うマスク本体と、マスク本体のうち鼻及び口側の面に設けた袋部と、該袋部に内装した鼻水を吸収する吸収体とを備え、吸収体で鼻水を吸収できるように構成したものが提案されている。
【先行技術文献】
【特許文献】
【０００４】
【特許文献１】特開２００３−１７５１２１号公報
【発明の概要】
【発明が解決しようとする課題】
【０００５】
ところで、特許文献１記載のマスクでは、袋部を形成するために、マスク本体とは別部材からなる袋素材をマスク本体に対して縫製等により設けているので、マスクの製作コストが高くなるという問題がある。また、マスク本体が柔らかいガーゼで構成されているので、マスク本体と顔との間の空間がどうしても狭くなり、鼻孔や口からの呼吸に息苦しさ感があった。しかも、鼻水を吸収体で吸収できるように、吸収体を鼻孔に当てて配置しているので、鼻孔からの呼吸に息苦しさ感があり、特に吸収体が鼻水を吸収すると、吸収体における通気抵抗が大きくなることから、息苦しさ感が大きくなるという問題がある。
【０００６】
本発明の目的は、息苦しさ感を改善しつつ鼻水を吸収でき、安価に製作可能で斬新なデザインのマスクを提供することである。
【課題を解決するための手段】
【０００７】
本発明に係るマスクは、鼻と口を覆うドーム状のマスク本体と、マスク本体を顔に固定するマスク固定具とを有するマスクであって、前記マスク本体の高さ方向の途中部を内側へ窪ませて、鼻と口間の鼻下部分へ向けて突出する支持突部を一体的に形成し、前記支持突部に鼻下部分に当接して鼻水を吸収する吸収体を鼻孔から離して設けたものである。
【０００８】
このマスクでは、吸収体を鼻孔から離して設けているので、吸収体が鼻孔を塞ぐことによる息苦しさを効果的に防止できる。しかも、ドーム状のマスク本体の支持突部に吸収体を固定しているので、マスク本体を操作して鼻や口と吸収体との位置関係を容易に調整することができる。また、マスク本体は、その高さ方向の途中部を内側に窪ませているものの、基本的にはドーム状に構成しているので、マスク本体と口との間に十分な空間を形成することが可能となり、口からの呼吸についての息苦しさを抑制できる。更に、マスク本体の高さ方向の途中部を内側へ窪ませて支持突部を一体的に形成することで、マスク本体を今までにない斬新なデザインに構成することができる。
【０００９】
前記マスク固定具として、途中部をマスク本体に対して回動自在に取付けた連結部材と、連結部材の両端部に取付けた耳掛けとを有するものを用いることも好ましい実施の形態である。この場合には、マスク本体を顔の適正位置に位置調整するときに、連結部材が回動することで、耳掛けの上側と下側とでマスク本体の引張力のバランスを自動調整できる。
【発明の効果】
【００１０】
本発明に係るマスクによれば、吸収体を鼻孔から離して設けているので、吸収体が鼻孔を塞ぐことによる息苦しさを効果的に防止できる。しかも、ドーム状のマスク本体の支持突部に吸収体を固定しているので、マスク本体を操作して鼻や口と吸収体との位置関係を容易に調整することができる。また、マスク本体は、その高さ方向の途中部を内側に窪ませているものの、基本的にはドーム状に構成しているので、マスク本体と口との間に十分な空間を形成することが可能となり、口からの呼吸についての息苦しさを抑制できる。更に、マスク本体の高さ方向の途中部を内側へ窪ませて支持突部を一体的に形成することで、マスク本体を今までにない斬新なデザインに構成することができる。
【図面の簡単な説明】
【００１１】
【図１】マスクの斜視図
【図２】マスク本体の正面図
【図３】マスク本体の平面図
【図４】マスク本体の側面図
【図５】図１のV-V線断面図
【図６】使用状態におけるマスク本体の縦断面図
【発明を実施するための形態】
【００１２】
以下、本発明の実施の形態について図面を参照しながら説明する。
図１〜図６に示すように、マスク１０は、鼻Ｎと口Ｍを覆うドーム状のマスク本体１１と、マスク本体１１を顔に固定する左右１対のマスク固定具１２と、鼻Ｎと口Ｍ間の鼻下部分ＮＵに当接して鼻水を吸収する吸収体１３とを備え、１回ないし数回の使用が可能な使い捨てマスク１０として構成されている。
【００１３】
マスク本体１１は、鼻Ｎと口Ｍを覆う周知のドーム形状のマスク本体１１を基本形状とし、この基本形状のマスク本体１１に対して、鼻Ｎと口Ｍ間の鼻下部分ＮＵへ向けて突出する支持突部１４を一体的に形成したものであり、不織布を加熱してプレス成形することで、図１〜図４、図６に示すような立体形状に成形されている。マスク本体１１を構成する不織布は、ポリオレフィン系長繊維、ポリエステル系長繊維、ポリアミド系長繊維、ポリアクリル酸エステル系長繊維などの長繊維スパンボンド不織布を単層又は複数積層したものを採用できる。また、不織布の積層枚数や坪量は、マスク１０の用途やマスク本体１１に要求される保形性などに応じて任意に設定することができる。
【００１４】
支持突部１４は、マスク本体１１の左右方向の中央部で且つ高さ方向の中央部よりもやや上側部分を後方（顔側）へ窪ませることによって、正面視において両端を下側へ向けた左右方向に細長い三日月状に形成されている。支持突部１４の左右方向の長さは、支持突部１４の成形性を考慮して、マスク本体１１の左右方向の長さの５０〜８０％に設定し、また支持突部１４の突出高さは、マスク１０を装着した状態で、支持突部１４の先端部と鼻下部分ＮＵとに２ｍｍ〜１０ｍｍ程度の隙間が形成されるような高さに設定することが好ましい。ただし、支持突部１４の正面形状は、三日月状以外の長方形状や台形状やハート形状など任意の形状に形成できる。
【００１５】
マスク本体１１の外面側には支持突部１４により左右方向に細長い三日月状の溝部１５が形成され、この溝部１５により斬新なデザインが得られるように構成されている。溝部１５の上側には鼻Ｎを覆う上部膨出部１６が形成され、溝部１５の下側には口Ｍを覆う下部膨出部１７が形成されている。下部膨出部１７の前方への突出高さは上部膨出部１６よりも高く設定され、下部膨出部１７の上下方向の長さは上部膨出部１６よりも長く設定されている。
【００１６】
マスク本体１１の下部膨出部１７の外縁部の左右方向の中央部は顎Ｃに沿うように円弧状に形成され、マスク本体１１の下部膨出部１７の外縁部の左右両側部は緩やかな曲線状或いは直線状に形成され、上部膨出部１６の左右両縁部と下部膨出部１７の左右両縁部とは円弧により滑らかに接続されている。マスク本体１１の外周部には断面半円状の補強部１８が全周にわたって形成され、この補強部１８によりマスク本体１１の外周部が補強されるとともに、マスク１０を装着したときに、顔に対するマスク本体１１の当たりが柔らかくなるように構成されている。ただし、マスク本体１１の外縁形状は任意に設定可能である。
【００１７】
上部膨出部１６の左右方向の中央部は鼻背ＮＲから頬にかけてのラインに沿って前方へ突出する山形形状に構成され、上部膨出部１６の外縁部と顔との間にできるだけ隙間が形成されないように構成されている。下部膨出部１７の内部空間１９は、極力大きくなるように設定され、口Ｍによる呼吸が楽に行えるように構成されている。
【００１８】
上部膨出部１６の内面上部には細長いクッション材２０が左右方向に取り付けられ、このクッション材２０により上部膨出部１６と鼻背ＮＲから頬にかけてのライン間の隙間を塞ぐことで、メガネを使用したときに、マスク本体１１と顔間からメガネ側へ呼気が流出することを防止して、呼気によるメガネの曇りを防止できるように構成されている。また、上部膨出部１６の外面上部にはポリエチレンなどの可撓性プラスチックからなる細長い保形部材２１が左右方向に設けられ、上部膨出部１６を保形部材２１とともに鼻背ＮＲから頬にかけてのラインに沿うように変形させて、上部膨出部１６と鼻背ＮＲから頬にかけてのライン間の隙間を極力少なくできるように構成されている。ただし、保形部材２１としては、可撓性プラスチック以外に、塑性変形可能な金属細線や、該金属細線を樹脂被覆したものなどを用いることも可能である。また、クッション材２０と保形部材２１の少なくとも一方は省略することが可能である。
【００１９】
吸収体１３は、織布や不織布からなる透水性の袋に、液体を吸収する吸収材料を封入したもので、支持突部１４の顔側の先端部に沿って取付けられ、マスク１０を取り付けた状態で、鼻孔ＮＨを塞がないように鼻Ｎの下側に間隔をあけて配置されるとともに、吸収体１３が鼻Ｎと口Ｍ間の鼻下部分ＮＵに当接して、鼻Ｎからの呼吸が楽に行えるように構成しつつ、鼻孔ＮＨから流れ出た鼻水を吸収体１３で吸収できるように構成されている。ただし、吸収体１３として、織布や不織布などからなるシート材に吸収材料を保持させたものを用いてもよい。
【００２０】
吸収体１３の左右方向の長さは、左右の鼻孔ＮＨの外端部間の長さよりも長く設定され、左右の鼻孔ＮＨから流れ出た鼻水を吸収体１３で確実に吸収できるように構成されている。図２に示す吸収体１３では、吸収体１３の左右方向の長さを左右の鼻Ｎ翼の外端部間の長さと、唇の左右の長さの略中間の長さに設定されている。吸収体１３の上下方向の幅は、鼻Ｎと口Ｍ間の鼻下部分ＮＵの上下方向の長さよりも短く設定され、吸収体１３が鼻Ｎや上唇に接触しないように構成されている。
【００２１】
吸収材料としては、鼻水を吸収できるものであれば任意の素材からなるものを採用できるが、吸収した鼻水が再度排出されることを防止してサラサラ感が得られることから、高吸水性ポリマー粒子を好適に採用できる。高吸水性ポリマー粒子としては、澱粉類、架橋若しくは加工澱粉、カルボキシメチルセルロース、ポリビニルアルコール、それらの誘導体などが挙げられる。これら高吸水性ポリマーのなかでも、ポリビニルアルコール及びその誘導体が吸収性及び水溶性の観点から好ましく、更にエチレンオキシド変性ポリビニルアルコールパウダーを用いることが好ましい。ただし、上述した以外の吸水材を用いることも可能である。
【００２２】
マスク固定具１２は、マスク本体１１の両側部に取付けた枢支ピン２５と、途中部を枢支ピン２５に回転自在に支持した連結部材２６と、連結部材２６の両端部に取付けた耳掛け２７とを備えている。
【００２３】
マスク本体１１の左右両側部には貫通孔２８が形成され、連結部材２６の長さ方向の中央部にはピン孔２９が形成され、連結部材２６は、連結部材２６をマスク本体１１に重ね合わせて、ピン孔２９と貫通孔２８に枢支ピン２５を装着し、枢支ピン２５の先端部に固定リング３０を取付けることでマスク本体１１に回動自在に取り付けられている。
【００２４】
耳掛け２７は、伸縮可能なゴム紐や伸縮不能な紐部材で構成され、両端部を連結部材２６の両端部に形成した切込部３１に挿入保持させて、連結部材２６に取付けられている。ただし、マスク固定具１２としては、上述した以外の構成のものを採用することも可能で、例えばゴム紐からなる耳掛け２７の両端部をマスク本体１１の側部に、上下に間隔をあけて熱融着や接着剤などにより直接的に固定することも可能である。
【００２５】
このマスク１０を使用する際には、左右の耳掛け２７を左右の耳に引っ掛けてマスク本体１１を顔に固定することになるが、このときマスク本体１１の外縁部と顔との間に極力隙間が形成されないようにするとともに、吸収体１３の先端部が鼻下部分ＮＵに当接され、吸収体１３により鼻孔ＮＨが塞がれないように、マスク本体１１の位置を調整することになる。そして、風邪や花粉症により鼻孔ＮＨから流れ出た鼻水を吸収体１３により順次吸収して、鼻水が口Ｍや顎Ｃの方へ流れることを防止でき、マスク１０の利用者に不快感を与えることを防止できる。また、マスク本体１１を顔の適正位置に位置調整するときに、連結部材２６が枢支ピン２５を中心に回動して、耳掛け２７の上側と下側とにおけるマスク本体１１の引張力のバランスが自動調整されることになる。
【００２６】
このマスク１０では、鼻Ｎや口Ｍでの呼吸が楽なドーム型のマスク本体１１を採用しつつ、部品点数を増やしたり、吸収体１３が不必要に大型になったりすることを防止して、マスク１０の製作コストを極力安くできる。しかも、吸収体１３により多量の鼻水を吸収できるので、使用感の優れたマスク１０を実現できる。加えて、マスク本体１１の正面に三日月状の溝部１５が形成されるので、今までにない斬新なデザインのマスク１０を実現できる。
【符号の説明】
【００２７】
１０    マスク            １１    マスク本体
１２    マスク固定具      １３    吸収体
１４    支持突部          １５    溝部
１６    上部膨出部        １７    下部膨出部
１８    補強部            １９    内部空間
２０    クッション材      ２１    保形部材
２５    枢支ピン          ２６    連結部材
２７    耳掛け            ２８    貫通孔
２９    ピン孔            ３０    固定リング
３１    切込部
Ｃ      顎                Ｍ      口
Ｎ      鼻                ＮＨ    鼻孔
ＮＲ    鼻背              ＮＵ    鼻下部分
【図１】
2012034846.tif 000003
【図２】
2012034846.tif 000004
【図３】
2012034846.tif 000005
【図４】
2012034846.tif 000006
【図５】
2012034846.tif 000007
【図６】
2012034846.tif 000008